【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信の方法であって、前記方法は、
到来角（ＡｏＡ）パケットのプロトコルデータユニット（ＰＤＵ）ヘッダを、前記ワイヤレスデバイスによって、生成することと、ここにおいて、前記ＰＤＵヘッダは、将来の使用のために予約される（ＲＦＵ）フィールドを含む、
前記ＰＤＵヘッダに対応する前記ＡｏＡパケットのＰＤＵペイロードを、前記ワイヤレスデバイスによって、生成することと、ここにおいて、前記ＰＤＵペイロードを生成することは、
別のワイヤレスデバイスが前記ＡｏＡパケットの到来角を決定することができるように前記ＰＤＵペイロードに補足フィールドを挿入することと、
前記ＰＤＵペイロードに巡回冗長検査（ＣＲＣ）フィールドを挿入することと、前記ＣＲＣフィールドは、少なくとも前記補足フィールドのＣＲＣに対応する、
を含む、
前記ＰＤＵペイロードが前記補足フィールドを含むことを示すために、前記ＲＦＵフィールドの１つまたは複数の予約されたビットを置き換えることによって、前記ＰＤＵヘッダを修正することと
前記ワイヤレスデバイスの単一のアンテナで前記ＡｏＡパケットを送信することと
を備える、方法。
【請求項２】
前記ＡｏＡパケットの前記ＰＤＵペイロードを生成することは、
前記ＰＤＵペイロードに補足情報フィールドを挿入することをさらに備え、前記補足情報フィールドは、前記補足フィールドの長さを示す補足時間フィールド、予約されたフィールド、および補足タイプフィールドのグループから選択された少なくとも１つのフィールドを含む、請求項１に記載の方法。
【請求項３】
前記ＡｏＡパケットの前記ＰＤＵペイロードを生成することは、前記ＰＤＵペイロードにオペコードを挿入することをさらに備え、
前記オペコードは、前記ＡｏＡパケットが前記ＡｏＡパケットのための前記別のデバイスからの要求への応答かどうかを示す、請求項１に記載の方法。
【請求項４】
前記ＡｏＡパケットの前記ＰＤＵペイロードを生成することは、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと
を含むように前記ＰＤＵペイロードを生成することをさらに備える、請求項１に記載の方法。
【請求項５】
前記ＡｏＡパケットの前記ＰＤＵペイロードを生成することは、
前記ＰＤＵペイロード全体のＣＲＣに対応する第２のＣＲＣフィールドを含むように前記ＰＤＵペイロードを生成することをさらに備える、請求項４に記載の方法。
【請求項６】
前記補足フィールドを暗号化することなく、前記ＡｏＡパケットを送信することをさらに備える、請求項１に記載の方法。
【請求項７】
前記補足フィールドを白色化することなく、前記ＡｏＡパケットを送信することをさらに備える、請求項１に記載の方法。
【請求項８】
前記補足フィールドを白色化することなく、前記ＰＤＵペイロードの少なくとも一部を白色化することをさらに備える、請求項７に記載の方法。
【請求項９】
ワイヤレスデバイスによるワイヤレス通信の方法であって、前記方法は、
別のワイヤレスデバイスから到来角（ＡｏＡ）パケットを、前記ワイヤレスデバイスのアンテナアレイにおいて、受信することと、ここにおいて、前記ＡｏＡパケットは、プロトコルデータユニット（ＰＤＵ）ペイロードおよび対応するＰＤＵヘッダを含み、前記ＰＤＵヘッダは、将来の使用のために予約される（ＲＦＵ）フィールドを含む、
前記ＰＤＵペイロードが補足フィールドを含むことを、前記ＲＦＵフィールドの１つまたは複数の予約されたビットが示すかどうかを決定することと、もしそうであれば、
前記ＰＤＵペイロードに含まれる前記補足フィールドに基づいて前記ＡｏＡパケットの到来角を決定するために前記ＡｏＡパケットを処理することと、ここにおいて、前記ＡｏＡパケットを処理することは、前記ＰＤＵペイロードに含まれるＣＲＣフィールドに基づいて巡回冗長検査（ＣＲＣ）を実行することを備え、前記ＣＲＣフィールドは、少なくとも前記補足フィールドのＣＲＣに対応する、
を備える、方法。
【請求項１０】
前記ＡｏＡパケットを処理することは、
前記ＡｏＡパケットの前記ＰＤＵペイロードに含まれる補足情報フィールドを読み取ることをさらに備え、前記補足情報フィールドは、前記補足フィールドの長さを示す補足時間フィールド、予約されたフィールド、および補足タイプフィールドのグループから選択された少なくとも１つのフィールドを含む、請求項９に記載の方法。
【請求項１１】
前記補足フィールドは、同じ論理状態を有するビットの列を備える、請求項１または９に記載の方法。
【請求項１２】
前記ＰＤＵペイロードの前記補足フィールドを受信しながら前記アンテナアレイのアンテナの間で切り替えることと、
前記補足フィールドの同相および直交（Ｉ＆Ｑ）サンプルをキャプチャすることと、
前記Ｉ＆Ｑサンプルに基づいて１つまたは複数の位相差を計算することと、
前記１つまたは複数の位相差に基づいて前記到来角を推定することと
をさらに備える、請求項１１に記載の方法。
【請求項１３】
ワイヤレスデバイスであって、
到来角（ＡｏＡ）パケットのプロトコルデータユニット（ＰＤＵ）ヘッダを生成するための手段と、ここにおいて、前記ＰＤＵヘッダは、将来の使用のために予約される（ＲＦＵ）フィールドを含む、
前記ＰＤＵヘッダに対応する前記ＡｏＡパケットのＰＤＵペイロードを生成するための手段と、ここにおいて、前記ＰＤＵペイロードを生成するための前記手段は、
別のワイヤレスデバイスが前記ＡｏＡパケットの到来角を決定することができるように前記ＰＤＵペイロードに補足フィールドを挿入するための手段と、
前記ＰＤＵペイロードに巡回冗長検査（ＣＲＣ）フィールドを挿入するための手段と、前記ＣＲＣフィールドは、少なくとも前記補足フィールドのＣＲＣに対応する、
を含む、
前記ＰＤＵペイロードが前記補足フィールドを含むことを示すために、前記ＲＦＵフィールドの１つまたは複数の予約されたビットを置き換えることによって、前記ＰＤＵヘッダを修正するための手段と
前記ＡｏＡパケットを送信するための手段と
を備える、ワイヤレスデバイス。
【請求項１４】
ワイヤレスデバイスであって、
別のワイヤレスデバイスから到来角（ＡｏＡ）パケットを受信するための手段と、ここにおいて、前記ＡｏＡパケットは、プロトコルデータユニット（ＰＤＵ）ペイロードおよび対応するＰＤＵヘッダを含み、前記ＰＤＵヘッダは、将来の使用のために予約される（ＲＦＵ）フィールドを含む、
前記ＰＤＵペイロードが補足フィールドを含むことを、前記ＲＦＵフィールドの１つまたは複数の予約されたビットが示すかどうかを決定するための手段と、もしそうであれば、
前記ＰＤＵペイロードに含まれる前記補足フィールドに基づいて前記ＡｏＡパケットの到来角を決定するために前記ＡｏＡパケットを処理するための手段と、ここにおいて、前記ＡｏＡパケットを処理するための前記手段は、前記ＰＤＵペイロードに含まれるＣＲＣフィールドに基づいて巡回冗長検査（ＣＲＣ）を実行するための手段を備え、前記ＣＲＣフィールドは、少なくとも前記補足フィールドのＣＲＣに対応する、
を備える、ワイヤレスデバイス。
【請求項１５】
プログラムがコンピュータによって実行されると、前記コンピュータに、請求項１乃至１２のいずれかに記載の方法を実行させる命令を備える、コンピュータプログラム。
【手続補正２】
【補正対象書類名】明細書
【補正対象項目名】００６４
【補正方法】変更
【補正の内容】
【００６４】
[0076]前述の開示が本発明の例示的な態様を示している一方で、添付された特許請求の範囲によって定義される本発明の範囲から逸脱することなく、様々な変更および修正が、本明細書で行われ得ることに留意されたい。本明細書で説明された本発明の態様にしたがった方法の請求項の機能、ステップ、および／またはアクションは、任意の特定の順序で実行されることを必要としない。さらに、本発明の要素は、単数形で説明または特許請求され得るが、単数形に限定することが明記されていない限り、複数形が企図される。
以下に本願の出願当初の特許請求の範囲に記載された発明を付記する。
［Ｃ１］
ワイヤレスデバイスによるワイヤレス通信の方法であって、前記方法は、
到来角（ＡｏＡ）パケットのプロトコルデータユニット（ＰＤＵ）ヘッダを、前記ワイヤレスデバイスによって、生成することと、
前記ＰＤＵヘッダに対応する前記ＡｏＡパケットのＰＤＵペイロードを、前記ワイヤレスデバイスによって、生成することと、ここにおいて、前記ＰＤＵペイロードを生成することは、
別のワイヤレスデバイスが前記ＡｏＡパケットの到来角を決定することができるように前記ＰＤＵペイロードに補足フィールドを挿入することと、
前記ＰＤＵペイロードに巡回冗長検査（ＣＲＣ）フィールドを挿入することと、前記ＣＲＣフィールドは、少なくとも前記補足フィールドのＣＲＣに対応する、
前記ワイヤレスデバイスの単一のアンテナで前記ＡｏＡパケットを送信することと
を備える、方法。
［Ｃ２］
前記ＡｏＡパケットの前記ＰＤＵヘッダを生成することは、
前記ＰＤＵペイロードが前記補足フィールドを含むことを示すために前記ＰＤＵヘッダを修正することを備える、Ｃ１記載の方法。
［Ｃ３］
前記ＰＤＵヘッダを修正することは、前記ＰＤＵペイロードが前記補足フィールドを含むことを示すために前記ＰＤＵヘッダの１つまたは複数の予約されたビットを少なくとも１つのビットと交換することを含む、Ｃ２に記載の方法。
［Ｃ４］
前記ＡｏＡパケットの前記ＰＤＵペイロードを生成することは、
前記ＰＤＵペイロードに補足情報フィールドを挿入することをさらに備え、前記補足情報フィールドは、前記補足フィールドの長さを示す補足時間フィールド、予約されたフィールド、および補足タイプフィールドのグループから選択された少なくとも１つのフィールドを含む、Ｃ１に記載の方法。
［Ｃ５］
前記ＡｏＡパケットの前記ＰＤＵペイロードを生成することは、前記ＰＤＵペイロードにオペコードを挿入することをさらに備える、Ｃ１に記載の方法。
［Ｃ６］
前記オペコードは、前記ＡｏＡパケットが前記ＡｏＡパケットのための前記別のデバイスからの要求への応答かどうかを示す、Ｃ５に記載の方法。
［Ｃ７］
前記ＡｏＡパケットの前記ＰＤＵペイロードを生成することは、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと
を含むように前記ＰＤＵペイロードを生成することをさらに備える、Ｃ１に記載の方法。
［Ｃ８］
前記ＡｏＡパケットの前記ＰＤＵペイロードを生成することは、
前記ＰＤＵペイロード全体のＣＲＣに対応する第２のＣＲＣフィールドを含むように前記ＰＤＵペイロードを生成することをさらに備える、Ｃ７に記載の方法。
［Ｃ９］
前記補足フィールドを暗号化することなく、前記ＡｏＡパケットを送信することをさらに備える、Ｃ１に記載の方法。
［Ｃ１０］
前記補足フィールドを暗号化することなく、前記ＰＤＵペイロードの少なくとも一部を暗号化することをさらに備える、Ｃ９に記載の方法。
［Ｃ１１］
前記補足フィールドを白色化することなく、前記ＡｏＡパケットを送信することをさらに備える、Ｃ１に記載の方法。
［Ｃ１２］
前記補足フィールドを白色化することなく、前記ＰＤＵペイロードの少なくとも一部を白色化することをさらに備える、Ｃ１１に記載の方法。
［Ｃ１３］
前記ＰＤＵペイロードに前記補足フィールドを挿入することは、前記補足フィールドを白色化することを含み、前記方法は、
前記補足フィールドの前記白色化を除去するために前記ＰＤＵペイロード全体を白色化することをさらに備える、Ｃ１に記載の方法。
［Ｃ１４］
前記補足フィールドは、同じ論理状態を有するビットの列を備える、Ｃ１に記載の方法。
［Ｃ１５］
前記論理状態は、論理「１」である、Ｃ１４に記載の方法。
［Ｃ１６］
前記ＡｏＡパケットを送信することは、前記ワイヤレスデバイスのＢｌｕｅｔｏｏｔｈトランシーバで前記ＡｏＡパケットを送信することを備える、Ｃ１に記載の方法。
［Ｃ１７］
ワイヤレスデバイスによるワイヤレス通信の方法であって、前記方法は、
別のワイヤレスデバイスから到来角（ＡｏＡ）パケットを、前記ワイヤレスデバイスのアンテナアレイにおいて、受信することと、
前記ＡｏＡパケットのプロトコルデータユニット（ＰＤＵ）ペイロードが補足フィールドを含むかどうか決定することと、もしそうであれば、
前記ＰＤＵペイロードに含まれる補足フィールドに基づいて前記ＡｏＡパケットの到来角を決定するために前記ＡｏＡパケットを処理することと、ここにおいて、前記ＡｏＡパケットを処理することは、前記ＰＤＵペイロードに含まれるＣＲＣフィールドに基づいて巡回冗長検査（ＣＲＣ）を実行することを備え、前記ＣＲＣフィールドは、少なくとも前記補足フィールドのＣＲＣに対応する、
を備える、方法。
［Ｃ１８］
前記ＡｏＡパケットの前記ＰＤＵペイロードが前記補足フィールドを含むかどうかを決定することは、
前記ＰＤＵペイロードに対応するＰＤＵヘッダが前記ＰＤＵペイロードは前記補足フィールドを含むと示すかどうかを決定することを備える、Ｃ１７に記載の方法。
［Ｃ１９］
前記ＰＤＵヘッダが前記ＰＤＵペイロードは前記補足フィールドを含むと示すかどうかを決定することは、前記ＰＤＵヘッダの１つまたは複数の予約されたビットが前記ＰＤＵペイロードは前記補足フィールドを含むと示すかどうかを決定することを含む、Ｃ１８に記載の方法。
［Ｃ２０］
前記ＡｏＡパケットを処理することは、
前記ＡｏＡパケットの前記ＰＤＵペイロードに含まれる補足情報フィールドを読み取ることをさらに備え、前記補足情報フィールドは、前記補足フィールドの長さを示す補足時間フィールド、予約されたフィールド、および補足タイプフィールドのグループから選択された少なくとも１つのフィールドを含む、Ｃ１７に記載の方法。
［Ｃ２１］
前記ＡｏＡパケットを処理することは、前記ＡｏＡパケットの前記ＰＤＵペイロードに含まれるオペコードを読み取ることをさらに備える、Ｃ１７に記載の方法。
［Ｃ２２］
前記オペコードは、前記ＡｏＡパケットが前記ワイヤレスデバイスから前記別のワイヤレスデバイスに送られた前記ＡｏＡパケットのための要求への応答かどうかを示す、Ｃ２１に記載の方法。
［Ｃ２３］
前記ＡｏＡパケットの前記ＰＤＵペイロードは、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと
をさらに備える、Ｃ１７に記載の方法。
［Ｃ２４］
前記ＡｏＡパケットの前記ＰＤＵペイロードは、
前記ＰＤＵペイロード全体のＣＲＣに対応する第２のＣＲＣフィールドをさらに備える、Ｃ２３に記載の方法。
［Ｃ２５］
前記ＡｏＡパケットを受信することは、暗号化されていない前記補足フィールドを有する前記ＰＤＵペイロードを受信することを含む、Ｃ１７に記載の方法。
［Ｃ２６］
前記ＡｏＡパケットを処理することは、前記補足フィールドを解読することなく、前記ＰＤＵペイロードの少なくとも一部を解読することを含む、Ｃ２５に記載の方法。
［Ｃ２７］
前記ＡｏＡパケットを受信することは、前記補足フィールドが白色化されていない前記ＰＤＵペイロードを受信することを含む、Ｃ１７に記載の方法。
［Ｃ２８］
前記ＡｏＡパケットを処理することは、前記補足フィールドを脱白色化することなく、前記ＰＤＵペイロードの少なくとも一部を脱白色化することを含む、Ｃ２７に記載の方法。
［Ｃ２９］
前記補足フィールドは、同じ論理状態を有するビットの列を備える、Ｃ１７に記載の方法。
［Ｃ３０］
前記論理状態は、論理「１」である、Ｃ２９に記載の方法。
［Ｃ３１］
前記ＰＤＵペイロードの前記補足フィールドを受信しながら前記アンテナアレイのアンテナの間で切り替えることと、
前記補足フィールドの同相および直交（Ｉ＆Ｑ）サンプルをキャプチャすることと、
前記Ｉ＆Ｑサンプルに基づいて１つまたは複数の位相差を計算することと、
前記１つまたは複数の位相差に基づいて前記到来角を推定することと
をさらに備える、Ｃ２９に記載の方法。
［Ｃ３２］
前記ＡｏＡパケットを受信することは、前記ワイヤレスデバイスのＢｌｕｅｔｏｏｔｈトランシーバで前記ＡｏＡパケットを受信することを備える、Ｃ１７に記載の方法。
［Ｃ３３］
ワイヤレスデバイスであって、
アンテナと、
前記アンテナに結合されたトランシーバと、
プログラムコードを記憶するように適合されたメモリと、
到来角（ＡｏＡ）パケットのプロトコルデータユニット（ＰＤＵ）ヘッダを生成することと、
前記ＰＤＵヘッダに対応する前記ＡｏＡパケットのＰＤＵペイロードを生成することと、
前記アンテナで前記ＡｏＡパケットを送信することと
を行うように前記ワイヤレスデバイスに指示するためのプログラムコードに含まれる命令にアクセスしおよびそれを実行するために前記メモリに結合されたプロセッサと
を備え、ここにおいて、前記ＰＤＵペイロードを生成するための前記命令は、
別のワイヤレスデバイスが前記ＡｏＡパケットの到来角を決定することができるように前記ＰＤＵペイロードに補足フィールドを挿入することと、
前記ＰＤＵペイロードに巡回冗長検査（ＣＲＣ）フィールドを挿入することと、前記ＣＲＣフィールドは、少なくとも前記補足フィールドのＣＲＣに対応する、を行うための命令を備える、ワイヤレスデバイス。
［Ｃ３４］
前記ＡｏＡパケットの前記ＰＤＵヘッダを生成するための前記命令は、
前記ＰＤＵペイロードが前記補足フィールドを含むことを示すために前記ＰＤＵヘッダを修正するための命令備える、Ｃ３３に記載のワイヤレスデバイス。
［Ｃ３５］
前記ＰＤＵヘッダを修正するための前記命令は、前記ＰＤＵペイロードが前記補足フィールドを含むことを示すために前記ＰＤＵヘッダの１つまたは複数の予約されたビットを少なくとも１つのビットと交換するための命令を含む、Ｃ３４に記載のワイヤレスデバイス。
［Ｃ３６］
前記ＡｏＡパケットの前記ＰＤＵペイロードを生成するための前記命令は、
前記ＰＤＵペイロードに補足情報フィールドを挿入するための命令をさらに備え、前記補足情報フィールドは、前記補足フィールドの長さを示す補足時間フィールド、予約されたフィールド、および補足タイプフィールドのグループから選択された少なくとも１つのフィールドを含む、Ｃ３３に記載のワイヤレスデバイス。
［Ｃ３７］
前記ＡｏＡパケットの前記ＰＤＵペイロードを生成するための前記命令は、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと
を含むように前記ＰＤＵペイロードを生成するための命令をさらに備える、Ｃ３３に記載のワイヤレスデバイス。
［Ｃ３８］
前記ＡｏＡパケットの前記ＰＤＵペイロードを生成するための前記命令は、
前記ＰＤＵペイロード全体のＣＲＣに対応する第２のＣＲＣフィールドを含むように前記ＰＤＵペイロードを生成するための命令をさらに備える、Ｃ３７に記載のワイヤレスデバイス。
［Ｃ３９］
前記ＡｏＡパケットを送信するための前記命令は、前記補足フィールドを暗号化することなく、前記ＡｏＡパケットを送信するための命令を備え、前記プログラムコードは、前記補足フィールドを暗号化することなく前記ＰＤＵペイロードの少なくとも一部を暗号化するための命令をさらに備える、Ｃ３３に記載のワイヤレスデバイス。
［Ｃ４０］
前記ＡｏＡパケットを送信するための前記命令は、前記補足フィールドを白色化することなく、前記ＡｏＡパケットを送信するための命令を備え、前記プログラムコードは、前記補足フィールドを白色化することなく、前記ＰＤＵペイロードの少なくとも一部を白色化するための命令をさらに備える、Ｃ３３に記載のワイヤレスデバイス。
［Ｃ４１］
前記補足フィールドを前記ＰＤＵペイロードに挿入するための前記命令は、前記補足フィールドを白色化し、その後、前記補足フィールドの前記白色化を取り除くために前記ＰＤＵペイロード全体を白色化するための命令を含む、Ｃ３３に記載のワイヤレスデバイス。
［Ｃ４２］
トランシーバは、Ｂｌｕｅｔｏｏｔｈトランシーバを備える、Ｃ３３に記載のワイヤレスデバイス。
［Ｃ４３］
ワイヤレスデバイスであって、
アンテナアレイと、
前記アンテナアレイに結合されたトランシーバと、
プログラムコードを記憶するように適合されたメモリと、
別のワイヤレスデバイスから到来角（ＡｏＡ）パケットを、前記アンテナアレイにおいて、受信することと、
前記ＡｏＡパケットのプロトコルデータユニット（ＰＤＵ）ペイロードが補足フィールドを含むかどうか決定することと、もしそうであれば、
前記ＰＤＵペイロードに含まれる前記補足フィールドに基づいて前記ＡｏＡパケットの到来角を決定するために前記ＡｏＡパケットを処理することと、
を行うように前記ワイヤレスデバイスに指示するためのプログラムコードに含まれる命令にアクセスしおよびそれを実行するために前記メモリに結合されたプロセッサと
を備え、ここにおいて、前記ＡｏＡパケットを処理するための前記命令は、前記ＰＤＵペイロードに含まれるＣＲＣフィールドに基づいて巡回冗長検査（ＣＲＣ）を実行するための命令を備え、前記ＣＲＣフィールドは、少なくとも前記補足フィールドのＣＲＣに対応する、ワイヤレスデバイス。
［Ｃ４４］
前記ＡｏＡパケットの前記ＰＤＵペイロードかどうかを決定するための前記命令は、前記ＰＤＵペイロードに対応するＰＤＵヘッダが前記ＰＤＵペイロードは前記補足フィールドを含むと示すかどうかを決定するための命令を備える、Ｃ４３に記載のワイヤレスデバイス。
［Ｃ４５］
前記ＰＤＵヘッダが前記ＰＤＵペイロードは前記補足フィールドを含むと示すかどうかを決定するための前記命令は、前記ＰＤＵヘッダの１つまたは複数の予約されたビットが前記ＰＤＵペイロードは前記補足フィールドを含むと示すかどうかを決定するための命令を含む、Ｃ４４に記載のワイヤレスデバイス。
［Ｃ４６］
前記ＡｏＡパケットを処理するための前記命令は、
前記ＡｏＡパケットの前記ＰＤＵペイロードに含まれる補足情報フィールドを読み取るための命令をさらに備え、前記補足情報フィールドは、前記補足フィールドの長さを示す補足時間フィールド、予約されたフィールド、および補足タイプフィールドのグループから選択された少なくとも１つのフィールドを含む、Ｃ４３に記載のワイヤレスデバイス。
［Ｃ４７］
前記ＡｏＡパケットの前記ＰＤＵペイロードは、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと
をさらに備える、Ｃ４３に記載のワイヤレスデバイス。
［Ｃ４８］
前記ＡｏＡパケットの前記ＰＤＵペイロードは、
前記ＰＤＵペイロード全体のＣＲＣに対応する第２のＣＲＣフィールドをさらに備える、Ｃ４７に記載のワイヤレスデバイス。
［Ｃ４９］
前記ＡｏＡパケットを受信するための前記命令は、暗号化されていない前記補足フィールドを有する前記ＰＤＵペイロードを受信するための命令を含み、前記プログラムコードは、前記補足フィールドを解読することなく、前記ＰＤＵペイロードの少なくとも一部を解読するための命令をさらに備える、Ｃ４３に記載のワイヤレスデバイス。
［Ｃ５０］
前記ＡｏＡパケットを受信するための前記命令は、前記補足フィールドが白色化されていない前記ＰＤＵペイロードを受信するための命令を含み、前記プログラムコードは、前記補足フィールドを脱白色化することなく、前記ＰＤＵペイロードの少なくとも一部を脱白色化するための命令をさらに含む、Ｃ４３に記載のワイヤレスデバイス。
［Ｃ５１］
前記プログラムコードは、
前記ＰＤＵペイロードの前記補足フィールドを受信しながら前記アンテナアレイのアンテナの間で切り替えることと、
前記補足フィールドの同相および直交（Ｉ＆Ｑ）サンプルをキャプチャすることと、
前記Ｉ＆Ｑサンプルに基づいて１つまたは複数の位相差を計算することと、
前記１つまたは複数の位相差に基づいて前記到来角を推定することと
を行うための命令をさらに備える、Ｃ４３に記載のワイヤレスデバイス。
［Ｃ５２］
前記トランシーバは、Ｂｌｕｅｔｏｏｔｈトランシーバを備える、Ｃ４３に記載のワイヤレスデバイス。
［Ｃ５３］
ワイヤレスデバイスによるワイヤレス通信を実行するために、その上に記憶されたプログラムコードを含む非一時的なコンピュータ可読媒体であって、前記プログラムコードは、
到来角（ＡｏＡ）パケットのプロトコルデータユニット（ＰＤＵ）ヘッダを生成することと、
前記ＰＤＵヘッダに対応する前記ＡｏＡパケットのＰＤＵペイロードを生成することと、
前記ワイヤレスデバイスのアンテナで前記ＡｏＡパケットを送信することと
を行うための命令を備え、ここにおいて、前記ＰＤＵペイロードを生成するための前記命令は、
別のワイヤレスデバイスが前記ＡｏＡパケットの到来角を決定することができるように前記ＰＤＵペイロードに補足フィールドを挿入することと、
前記ＰＤＵペイロードに巡回冗長検査（ＣＲＣ）フィールドを挿入することと、前記ＣＲＣフィールドは、少なくとも前記補足フィールドのＣＲＣに対応する、を行うための命令を備える、非一時的なコンピュータ可読媒体。
［Ｃ５４］
前記ＡｏＡパケットの前記ＰＤＵペイロードを生成するための前記命令は、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと、
前記ＰＤＵペイロード全体のＣＲＣに対応する第２のＣＲＣフィールドと
を含むように前記ＰＤＵペイロードを生成するための命令をさらに備える、Ｃ５３に記載の非一時的なコンピュータ可読媒体。
［Ｃ５５］
前記補足情報フィールドは、前記補足フィールドの長さを示す補足時間フィールド、予約されたフィールド、および補足タイプフィールドのグループから選択された少なくとも１つのフィールドを含む、Ｃ５４に記載の非一時的なコンピュータ可読媒体。
［Ｃ５６］
モバイルデバイスによるワイヤレス通信を実行するために、その上に記憶されたプログラムコードを含む非一時的なコンピュータ可読媒体であって、前記プログラムコードは、  別のワイヤレスデバイスから到来角（ＡｏＡ）パケットを、前記ワイヤレスデバイスのアンテナアレイにおいて、受信することと、
前記ＡｏＡパケットのプロトコルデータユニット（ＰＤＵ）ペイロードが補足フィールドを含むかどうか決定することと、もしそうであれば、
前記ＰＤＵペイロードに含まれる前記補足フィールドに基づいて前記ＡｏＡパケットの到来角を決定するために前記ＡｏＡパケットを処理することと、
を行うための命令を備え、ここにおいて、前記ＡｏＡパケットを処理するための前記命令は、前記ＰＤＵペイロードに含まれるＣＲＣフィールドに基づいて巡回冗長検査（ＣＲＣ）を実行するための命令を備え、前記ＣＲＣフィールドは、少なくとも前記補足フィールドのＣＲＣに対応する、非一時的なコンピュータ可読媒体。
［Ｃ５７］
前記ＡｏＡパケットの前記ＰＤＵペイロードは、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと、
前記ＰＤＵペイロード全体のＣＲＣに対応する第２のＣＲＣフィールドと
をさらに備える、Ｃ５６に記載の非一時的なコンピュータ可読媒体。
［Ｃ５８］
前記ＡｏＡパケットを処理するための前記命令は、
前記ＡｏＡパケットの前記ＰＤＵペイロードに含まれる前記補足情報フィールドを読み取るための命令をさらに備え、前記補足情報フィールドは、前記補足フィールドの長さを示す補足時間フィールド、予約されたフィールド、および補足タイプフィールドのグループから選択された少なくとも１つのフィールドを含む、Ｃ５７に記載の非一時的なコンピュータ可読媒体。
［Ｃ５９］
ワイヤレスデバイスであって、
到来角（ＡｏＡ）パケットのプロトコルデータユニット（ＰＤＵ）ヘッダを生成するための手段と、
前記ＰＤＵヘッダに対応する前記ＡｏＡパケットのＰＤＵペイロードを生成するための手段と、ここにおいて、前記ＰＤＵペイロードを生成するための前記手段は、
別のワイヤレスデバイスが前記ＡｏＡパケットの到来角を決定することができるように前記ＰＤＵペイロードに補足フィールドを挿入するための手段と、
前記ＰＤＵペイロードに巡回冗長検査（ＣＲＣ）フィールドを挿入するための手段と、前記ＣＲＣフィールドは、少なくとも前記補足フィールドのＣＲＣに対応する、を含む、
前記ＡｏＡパケットを送信するための手段と
を備える、ワイヤレスデバイス。
［Ｃ６０］
前記ＰＤＵペイロードが前記補足フィールドを含むことを示すために前記ＰＤＵヘッダを修正するための手段をさらに備える、Ｃ５９記載のワイヤレスデバイス。
［Ｃ６１］
前記ＡｏＡパケットの前記ＰＤＵペイロードを生成するための前記手段は、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと、
前記ＰＤＵペイロード全体のＣＲＣに対応する第２のＣＲＣフィールドと
を含むように前記ＰＤＵペイロードを生成するための手段をさらに備える、Ｃ５９に記載のワイヤレスデバイス。
［Ｃ６２］
前記補足情報フィールドは、前記補足フィールドの長さを示す補足時間フィールド、予約されたフィールド、および補足タイプフィールドのグループから選択された少なくとも１つのフィールドを含む、Ｃ６１に記載のワイヤレスデバイス。
［Ｃ６３］
ワイヤレスデバイスであって、
別のワイヤレスデバイスから到来角（ＡｏＡ）パケットを受信するための手段と、
前記ＡｏＡパケットのプロトコルデータユニット（ＰＤＵ）ペイロードが補足フィールドを含むかどうか決定するための手段と、もしそうであれば、
前記ＰＤＵペイロードに含まれる前記補足フィールドに基づいて前記ＡｏＡパケットの到来角を決定するために前記ＡｏＡパケットを処理するための手段と、ここにおいて、前記ＡｏＡパケットを処理するための前記手段は、前記ＰＤＵペイロードに含まれるＣＲＣフィールドに基づいて巡回冗長検査（ＣＲＣ）を実行するための手段を備え、前記ＣＲＣフィールドは、少なくとも前記補足フィールドのＣＲＣに対応する、
を備える、ワイヤレスデバイス。
［Ｃ６４］
前記ＡｏＡパケットの前記ＰＤＵペイロードが前記補足フィールドを含むかどうかを決定するための前記手段は、
前記ＰＤＵパケットに対応するＰＤＵヘッダが前記ＰＤＵペイロードは前記補足フィールドを含むと示すかどうかを決定するための手段を備える、Ｃ６３に記載のワイヤレスデバイス。
［Ｃ６５］
前記ＡｏＡパケットの前記ＰＤＵペイロードは、
補足情報フィールドと、
オペコードと、
前記ＣＲＣフィールドと、ここにおいて、前記ＣＲＣフィールドは、ＰＤＵヘッダの終わりから、前記補足情報フィールドを通して、前記オペコードの終わりまでのＣＲＣに対応する、
前記補足フィールドと、
前記ＰＤＵペイロード全体のＣＲＣに対応する第２のＣＲＣフィールドと
をさらに備える、Ｃ６３に記載のワイヤレスデバイス。
［Ｃ６６］
前記ＡｏＡパケットを処理するための前記手段は、
前記ＡｏＡパケットの前記ＰＤＵペイロードに含まれる前記補足情報フィールドを読み取るための手段をさらに備え、前記補足情報フィールドは、前記補足フィールドの長さを示す補足時間フィールド、予約されたフィールド、および補足タイプフィールドのグループから選択された少なくとも１つのフィールドを含む、Ｃ６５に記載のワイヤレスデバイス。